(57)【要約】【課題】放送信号と位置データをＡＤ変換して収録する際に、位置データ発生時のみ位置データを記録することによりデータ容量を縮小するとともに、位置データの発生タイミングを収録することで放送信号と同期して位置データを再生する。【解決手段】信号収録時は、受信信号ＳＲ０１のレベル変換と周波数変換を収録信号処理部１０２で行うとともに、ＧＰＳ信号ＳＲ０３に基づきＧＰＳ信号受信部１０４で測位を行い、それぞれを収録信号ＳＲ０２、位置データＳＲ０４として収録部１０５に出力する。収録部１０５では、位置データＳＲ０４を受け取ったタイミングを表す収録タイミングデータＳＲ０Ｂを算出し、収録信号ＳＲ０２、位置データＳＲ０４とともに収録データＳＲ０５として記録部１１０に記録する。信号再生時は、再生部２０１において生成した再生タイミングデータＳＰ０Ａに基づき再生位置データＳＰ０６を再生ＩＦ信号ＳＰ０２と同期再生する。【選択図】図１
2008244517.tif 000002
【特許請求の範囲】
【請求項１】
受信した無線周波数信号をＡＤ変換し、前記無線周波数信号を受信した位置を示す位置情報とともに収録し、収録した前記無線周波数信号をＤＡ変換して前記位置情報とともに再生する信号収録再生装置であって、
前記位置情報は、前記位置情報が発生したときに前記無線周波数信号に同期して収録され、収録した前記無線周波数信号を再生する際に前記無線周波数信号に同期して再生されること、
を特徴とする信号収録再生装置。
【請求項２】
前記位置情報の前記無線周波数信号への同期は、前記無線周波数信号をＡＤ変換する際のサンプリングクロックに基づいて行われることを特徴とする請求項１に記載の信号収録再生装置。
【請求項３】
前記位置情報を収録する際は、前記無線周波数信号の収録開始とともに前記サンプリングクロックを分周して生成したカウンタクロックのカウントを開始し、前記位置情報が発生したときの前記カウント値をタイミング情報として前記位置情報とともに収録することで前記位置情報を前記無線周波数信号に同期させ、
前記位置情報を再生する際は、前記無線周波数信号の再生開始とともに前記カウンタクロックのカウントを開始し、前記カウント値と収録した前記タイミング情報とが一致した際に前記位置情報を出力することで前記位置情報を前記無線周波数信号に同期させること、
を特徴とする請求項２に記載の信号収録再生装置。
【請求項４】
前記位置情報が、ＧＰＳ信号に基づく位置データであることを特徴とする請求項１〜３のいずれか１項に記載の信号収録再生装置。
【請求項５】
無線周波数信号を受信し、前記無線周波数信号の出力レベルおよび周波数を所定の出力レベルおよび周波数に変換して出力する収録信号処理部と、
前記無線周波数信号を受信した位置を示す位置情報を出力する位置情報出力部と、
前記無線周波数信号をＡＤ変換して出力するとともに、前記位置情報出力部から前記位置情報を受け取った際に、前記位置情報とともに前記位置情報を受け取ったタイミングをタイミング情報として出力することで前記位置情報を前記無線周波数信号に同期して出力する収録部と、
前記収録部が出力した前記無線周波数信号および前記位置情報および前記タイミング情報を収録する記録部と、
前記記録部から前記無線周波数信号を読み出してＤＡ変換し出力するとともに、前記位置情報および前記タイミング情報を読み出し、前記タイミング情報に基づいて前記位置情報を前記無線周波数信号に同期して出力する再生部と、
前記再生部が出力する前記無線周波数信号の前記出力レベルおよび前記周波数を所定の出力レベルおよび周波数に変換して出力する再生信号処理部と、
前記再生部が出力する前記位置情報を表示する表示部と、
を備えたことを特徴とする信号収録再生装置。
【請求項６】
前記タイミング情報は、前記無線周波数信号をＡＤ変換する際のサンプリングクロックに基づいて生成されることを特徴とする請求項５に記載の信号収録再生装置。
【請求項７】
前記収録部は、前記位置情報を収録する際に、前記無線周波数信号の収録開始とともに前記サンプリングクロックを分周して生成したカウンタクロックのカウントを開始し、前記位置情報を受け取ったときの前記カウント値を前記タイミング情報として前記位置情報とともに収録することで前記位置情報を前記無線周波数信号に同期させ、
前記再生部は、前記位置情報を再生する際に、前記無線周波数信号の再生開始とともに前記カウンタクロックのカウントを開始し、前記カウント値と収録した前記タイミング情報とが一致した際に前記位置情報を出力することで前記位置情報を前記無線周波数信号に同期させること、
を特徴とする請求項６に記載の信号収録再生装置。
【請求項８】
前記位置情報出力部は、ＧＰＳ信号受信アンテナとＧＰＳ信号受信機を備え、前記ＧＰＳ信号受信アンテナで受信したＧＰＳ信号に基づき前記ＧＰＳ信号受信機が測位を行い、前記位置情報を出力することを特徴とする請求項５〜７のいずれか１項に記載の信号収録再生装置。
【発明の詳細な説明】
【技術分野】
【０００１】
本発明は、信号収録再生装置に関するものである。
【背景技術】
【０００２】
さまざまな放送信号に対して開発された受信機の性能評価を行うにあたって、特に受信機を車載する場合、車両の移動環境下におけるフィールドテストは重要な項目である。しかしながら、このフィールドテストは準備や評価に膨大な時間と工数を必要とし、さらに同様のフィールドテストを行った場合でも再現性が保たれにくく、同様の評価結果が得られない場合がある、という問題点があった。この問題を解決するために、一度移動環境下で放送信号を取得すれば、実験室において移動環境下での放送信号を同一に再現することが可能な信号収録再生装置が提案されている（特許文献１、２）。
【０００３】
また、放送信号の収録位置を特定できるように、放送信号とともにＧＰＳ信号から得られる位置データを収録し、同時再生可能な信号収録再生装置が本出願人により提案されている（特許文献３）。
【特許文献１】特開平６−２６５５８７号公報
【特許文献２】特開平１１−１８３５４４号公報
【特許文献３】特開２００７−１３３０７公報
【発明の開示】
【発明が解決しようとする課題】
【０００４】
ところで、このような信号収録再生装置では、放送信号および位置データをＡＤ変換して収録するのが一般的であるが、位置データはＧＰＳ受信機がＧＰＳ信号を処理して出力するため、一定の時間間隔で出力される。したがって、位置データを常時サンプリングしてＡＤ変換を行うと、不要なデータもデータとして収録してしまい、収録するデータの容量の増加を招いてしまう、という問題点がある。特に、位置データを放送信号と同じ高速のサンプリングクロックでサンプリングする場合は、この問題がより顕著である。
【０００５】
本発明の課題は、放送信号および位置データをＡＤ変換して収録する際に、位置データが発生したときのみ位置データを記録することにより、収録するデータの容量を縮小するとともに、位置データの発生タイミングを収録することにより、放送信号と同期して位置データを再生可能な信号収録再生装置を提案することにある。
【課題を解決するための手段】
【０００６】
上記課題を解決するために、請求項１に記載の発明は、受信した無線周波数信号をＡＤ変換し、前記無線周波数信号を受信した位置を示す位置情報とともに収録し、収録した前記無線周波数信号をＤＡ変換して前記位置情報とともに再生する信号収録再生装置であって、前記位置情報は、前記位置情報が発生したときに前記無線周波数信号に同期して収録され、収録した前記無線周波数信号を再生する際に前記無線周波数信号に同期して再生されることを特徴としている。
【０００７】
上記構成によれば、放送信号および位置情報をＡＤ変換して収録する際に、位置情報が発生したときのみ位置情報を放送信号に同期して記録することにより、収録するデータの容量を縮小するとともに、放送信号と同期して位置情報を再生することができる。
【０００８】
また請求項２に記載の発明は、請求項１において、前記位置情報の前記無線周波数信号への同期は、前記無線周波数信号をＡＤ変換する際のサンプリングクロックに基づいて行われることを特徴としている。
【０００９】
また請求項３に記載の発明は、請求項２において、前記位置情報を収録する際は、前記無線周波数信号の収録開始とともに前記サンプリングクロックを分周して生成したカウンタクロックのカウントを開始し、前記位置情報が発生したときの前記カウント値をタイミング情報として前記位置情報とともに収録することで前記位置情報を前記無線周波数信号に同期させ、前記位置情報を再生する際は、前記無線周波数信号の再生開始とともに前記カウンタクロックのカウントを開始し、前記カウント値と収録した前記タイミング情報とが一致した際に前記位置情報を出力することで前記位置情報を前記無線周波数信号に同期させることを特徴としている。
【００１０】
上記構成によれば、特別な同期回路を必要とせず、ＡＤ変換のサンプリングクロックを用いて位置情報を無線周波数信号に同期させることができる。
【００１１】
また請求項４に記載の発明は、請求項１〜３のいずれか１項において、前記位置情報が、ＧＰＳ信号に基づく位置データであることを特徴としている。
【００１２】
上記構成によれば、ＧＰＳ信号により正確な位置データを簡単に得ることができる。
【００１３】
また請求項５に記載の発明は、無線周波数信号を受信し、前記無線周波数信号の出力レベルおよび周波数を所定の出力レベルおよび周波数に変換して出力する収録信号処理部と、前記無線周波数信号を受信した位置を示す位置情報を出力する位置情報出力部と、前記無線周波数信号をＡＤ変換して出力するとともに、前記位置情報出力部から前記位置情報を受け取った際に、前記位置情報とともに前記位置情報を受け取ったタイミングをタイミング情報として出力することで前記位置情報を前記無線周波数信号に同期して出力する収録部と、前記収録部が出力した前記無線周波数信号および前記位置情報および前記タイミング情報を収録する記録部と、前記記録部から前記無線周波数信号を読み出してＤＡ変換し出力するとともに、前記位置情報および前記タイミング情報を読み出し、前記タイミング情報に基づいて前記位置情報を前記無線周波数信号に同期して出力する再生部と、前記再生部が出力する前記無線周波数信号の前記出力レベルおよび前記周波数を所定の出力レベルおよび周波数に変換して出力する再生信号処理部と、前記再生部が出力する前記位置情報を表示する表示部と、を備えたことを特徴としている。
【００１４】
上記構成によれば、放送信号および位置情報をＡＤ変換して収録する際に、位置情報が発生したときのみ位置情報を放送信号に同期して記録することにより、収録するデータの容量を縮小するとともに、放送信号と同期して位置情報を再生ことができる。
【００１５】
また請求項６に記載の発明は、請求項５において、前記タイミング情報は、前記無線周波数信号をＡＤ変換する際のサンプリングクロックに基づいて生成されることを特徴としている。
【００１６】
また請求項７に記載の発明は、請求項６において、前記収録部は、前記位置情報を収録する際に、前記無線周波数信号の収録開始とともに前記サンプリングクロックを分周して生成したカウンタクロックのカウントを開始し、前記位置情報を受け取ったときの前記カウント値を前記タイミング情報として前記位置情報とともに収録することで前記位置情報を前記無線周波数信号に同期させ、前記再生部は、前記位置情報を再生する際に、前記無線周波数信号の再生開始とともに前記カウンタクロックのカウントを開始し、前記カウント値と収録した前記タイミング情報とが一致した際に前記位置情報を出力することで前記位置情報を前記無線周波数信号に同期させることを特徴としている。
【００１７】
上記構成によれば、特別な同期回路を必要とせず、ＡＤ変換のサンプリングクロックを用いて位置情報を無線周波数信号に同期させることができる。
【００１８】
また、請求項８に記載の発明は、請求項５〜７のいずれか１項において、前記位置情報出力部は、ＧＰＳ信号受信アンテナとＧＰＳ信号受信機を備え、前記ＧＰＳ信号受信アンテナで受信したＧＰＳ信号に基づき前記ＧＰＳ信号受信機が測位を行い、前記位置情報を出力することを特徴としている。
【００１９】
上記構成によれば、ＧＰＳ信号により正確な位置データを簡単に得ることができる。
【発明の効果】
【００２０】
放送信号および位置データをＡＤ変換して収録する際に、位置データが発生したときのみ位置データを記録することにより、収録するデータの容量を縮小するとともに、位置データの発生タイミングを収録することにより、放送信号と同期して位置データを再生可能な信号収録再生装置を実現できる。
【発明を実施するための最良の形態】
【００２１】
以下、本発明の実施形態を図面に従って説明する。
【００２２】
図１に本発明の実施形態の概要のブロック図を示す。
【００２３】
本発明の実施形態における信号収録再生装置は、信号収録部１００と信号再生部２００とを備えている。
【００２４】
信号収録部１００は、放送信号受信アンテナ１０１、収録信号処理部１０２、ＧＰＳ信号受信アンテナ１０３、ＧＰＳ信号受信部１０４、収録部１０５、記録部１１０を備えている。ここで、ＧＰＳ信号受信アンテナ１０３とＧＰＳ信号受信部１０４が位置情報出力部１１を構成する。
【００２５】
放送信号受信アンテナ１０１で受信された放送信号は、受信信号ＳＲ０１として収録信号処理部１０２に入力される。
【００２６】
収録信号処理部１０２は、収録信号処理部１０２が出力する収録信号ＳＲ０２が所望の出力レベルおよび周波数となるように入力された受信信号ＳＲ０１の出力レベル変換および周波数変換を行い、収録信号ＳＲ０２として出力する。
【００２７】
ＧＰＳ信号受信アンテナ１０３で受信されたＧＰＳ信号は、ＧＰＳ信号ＳＲ０３としてＧＰＳ信号受信部１０４に入力される。
【００２８】
ＧＰＳ信号受信部１０４は、ＧＰＳ信号ＳＲ０３に基づいて測位を行い、位置情報である位置データＳＲ０４として出力する。
【００２９】
収録部１０５は、収録信号処理部１０２から出力された収録信号ＳＲ０２を取り込んで所定のサンプリングクロック信号でＡＤ変換を行う。また、ＧＰＳ信号受信部１０４から位置データＳＲ０４が出力されると位置データＳＲ０４を取り込むとともに、サンプリングクロック信号に基づいて計数を行ったカウント値ＣＴＲ（後述）を保持する。収録部１０５は、ＡＤ変換した収録信号（後述する収録信号データＳＲ０６）と、位置データＳＲ０４（後述する収録位置データＳＲ０７）、カウント値ＣＴＲ（後述する収録タイミングデータＳＲ０Ｂ）を収録データＳＲ０５として記録部１１０に出力する。
【００３０】
記録部１１０は、入力された収録データＳＲ０５を収録する。
【００３１】
信号再生部２００は、再生部２０１、再生信号処理部２０２、位置表示部２０３を備えている。
【００３２】
再生部２０１は、記録部１１０に収録された収録データＳＲ０５を再生データＳＰ０１として読み込んで収録信号データＳＲ０６および収録位置データＳＲ０７および収録タイミングデータＳＲ０Ｂを分離し、収録信号データＳＲ０６をＤＡ変換して再生ＩＦ信号ＳＰ０２として再生信号処理部２０２に出力するとともに、収録タイミングデータＳＲ０Ｂに基づいて位置データＳＲ０４を再生位置データＳＰ０３として位置表示部２０３に出力する。
【００３３】
再生信号処理部２０２は、収録時の受信信号ＳＲ０１と同じ信号になるように再生ＩＦ信号ＳＰ０２のレベル変換および周波数変換を行い、再生ＲＦ信号ＳＰ０４として出力する。
【００３４】
再生信号処理部２０２から出力された再生ＲＦ信号ＳＰ０４は、被試験受信機３００に入力され、評価試験が行われる。
【００３５】
位置表示部２０３は、再生位置データＳＰ０３に基づいて、位置情報を表示する。
【００３６】
次に、図２〜図７により、本実施形態の詳細な説明を行う。
【００３７】
まず、放送信号を取り込んでＡＤ変換し、ＧＰＳ信号ＳＲ０３に基づく位置データＳＲ０４とともに収録する信号の収録動作について説明を行う。
【００３８】
図２に、収録部１０５の詳細なブロック図を示す。
【００３９】
収録部１０５は、ＡＤ変換部１１１、位置データ検出部１１２、計数部１１３、サンプリングクロック生成部１１４（図２ではＳＣＬＫ生成部１１４と記載）で構成されるＡＤ変換部１２と、収録制御部１１５とを備えている。
【００４０】
収録信号ＳＲ０２は、ＡＤ変換部１１１に入力される。
【００４１】
位置データＳＲ０４は、位置データ検出部１１２に入力される。位置データ検出部１１２は、位置データＳＲ０４が入力されると位置データＳＲ０４が検出されたことを示す位置データ検出信号ＳＲ０８を出力するとともに、位置データＳＲ０４を収録位置データＳＲ０７として出力する。
【００４２】
位置データ検出信号ＳＲ０８は、計数部１１３に入力される。
【００４３】
収録位置データＳＲ０７は、収録制御部１１５に入力される。
【００４４】
ここで、収録制御部１１５は、基準信号であるサンプリングクロック制御信号ＳＲ０９（図２ではＳＣＬＫ制御信号ＳＲ０９と記載）をサンプリングクロック生成部１１４に出力する。
【００４５】
サンプリングクロック生成部１１４は、サンプリングクロック制御信号ＳＲ０９に基づいてサンプリングクロック信号ＳＲ０Ａ（図２ではＳＣＬＫ信号ＳＲ０Ａと記載）を生成する。
【００４６】
サンプリングクロック信号ＳＲ０Ａは、ＡＤ変換部１１１および計数部１１３に入力される。
【００４７】
ＡＤ変換部１１１は、入力されたサンプリングクロック信号ＳＲ０Ａに基づいて収録信号ＳＲ０２をサンプリングしてＡＤ変換を行い、収録信号データＳＲ０６として出力する。
【００４８】
計数部１１３は、入力されたサンプリングクロック信号ＳＲ０Ａを所定のクロック信号に分周してカウンタクロック信号を生成し、そのクロック数をカウントしてカウント値ＳＴＲを算出（加算）する。
【００４９】
計数部１１３は、位置データ検出信号ＳＲ０８が入力されると、そのときのカウント値ＳＴＲを収録タイミングデータＳＲ０Ｂとして出力する。
【００５０】
収録タイミングデータＳＲ０Ｂは、収録制御部１１５に入力される。
【００５１】
収録制御部１１５は、収録信号データＳＲ０６、収録位置データＳＲ０７、収録タイミングデータＳＲ０Ｂを収録データＳＲ０５として記録部１１０に出力する。
【００５２】
記録部１１０に出力された収録データＳＲ０５は、記録部１１０に収録される。
【００５３】
なお、記録部は、ハードディスク、光学ディスク、光磁気ディスク、各種メモリカード等の公知のものを適用することができる。
【００５４】
以上の動作をフローチャートにしたものが図３である。
【００５５】
ステップＳ１０１では、計数部１１３において以降の処理で必要となるカウンタのリセットを行い、カウントを開始してカウント値ＣＴＲを算出（加算）する。また、収録信号ＳＲ０２のサンプリングを開始してＡＤ変換部１１１でＡＤ変換を行い、収録信号データＳＲ０６の収録を開始する。この後に、フローはステップＳ１０２へ移行する。
【００５６】
ステップＳ１０２では、位置データ検出部１１２が位置データＳＲ０４を検出したか否かの判定が行われる。位置データ検出部１１２が位置データＳＲ０４を検出した場合は、フローはステップＳ１０３へ移行する。一方、位置データ検出部１１２が位置データＳＲ０４を検出しない場合は、フローはステップＳ１０４へ移行する。
【００５７】
ステップＳ１０３では、ＧＰＳ信号ＳＲ０３から測位した収録位置データＳＲ０７と、位置データ検出部１１２が位置データＳＲ０４を検出したときの計数部１１３のカウント値ＣＴＲが収録タイミングデータＳＲ０Ｂとして記録部１１０に収録される。この後に、フローはステップＳ１０２へ戻る。
【００５８】
ステップＳ１０４では、信号の収録動作の終了判断が行われる。信号の収録動作の終了は、別途設けられた収録終了スイッチ等（図示省略）によって選択される。収録動作を終了する場合は、フローはステップＳ１０５へ移行する。一方、収録動作を継続する場合は、フローはステップＳ１０２へ戻る。
【００５９】
ステップＳ１０５で信号の収録動作が終了する。
【００６０】
図４に、サンプリングクロック信号ＳＲ０Ａと、サンプリングクロック信号ＳＲ０Ａを分周して生成したカウンタクロック信号と、カウンタクロック信号を計数したカウント値ＣＴＲと、位置データＳＲ０４（収録位置データＳＲ０７）のタイミングチャートを示す。
【００６１】
以上が、信号の収録動作である。
【００６２】
次に、記録部１１０に収録された信号の再生動作について、説明を行う。
【００６３】
図５に、再生部２０１の詳細なブロック図を示す。
【００６４】
再生部２０１は、再生制御部２１１と、ＤＡ変換部２１２、位置データ出力部２１３、計数比較部２１４、再生サンプリングクロック生成部２１５（図５では再生ＳＣＬＫ生成部２１５と記載）で構成されるＤＡ変換部２１とを備えている。
【００６５】
再生制御部２１１は、記録部１１０に収録された収録データＳＲ０５を再生データＳＰ０１として読み出して、収録信号データＳＲ０６、収録位置データＳＲ０７、収録タイミングデータＳＲ０Ｂを分離し、それぞれを再生信号データＳＰ０５、再生位置データＳＰ０６、再生タイミングデータＳＰ０Ａとして出力する。
【００６６】
再生信号データＳＰ０５は、ＤＡ変換部２１２に入力される。
【００６７】
再生位置データＳＰ０６は、位置データ出力部２１３に入力される。
【００６８】
再生タイミングデータＳＰ０Ａは、計数比較部２１４に入力される。
【００６９】
ここで、再生制御部２１１は、基準信号である再生サンプリングクロック制御信号ＳＰ０８（図５では再生ＳＣＬＫ制御信号ＳＰ０８と記載）を再生サンプリングクロック生成部２１５に出力する。
【００７０】
再生サンプリングクロック生成部２１５は、再生サンプリングクロック制御信号ＳＰ０８に基づいて再生サンプリングクロック信号ＳＰ０９（図５ではＳＣＬＫ信号ＳＰ０９と記載）を生成する。
【００７１】
再生サンプリングクロック信号ＳＰ０９は、ＤＡ変換部２１２および計数比較部２１４に入力される。
【００７２】
ＤＡ変換部２１２は、入力された再生サンプリングクロック信号ＳＰ０９に基づいて再生信号データＳＰ０５のＤＡ変換を行い、再生ＩＦ信号ＳＰ０２として再生信号処理部２０２に出力する。
【００７３】
計数比較部２１４は、入力された再生サンプリングクロック信号ＳＰ０９を所定のクロック信号に分周して再生カウンタクロック信号を生成し、そのクロック数をカウントしてカウント値ＣＴＰを算出（加算）する。そして入力された再生タイミングデータＳＰ０Ａと算出したカウント値ＣＴＰとを比較し、両者が等しい場合に位置データ出力信号ＳＰ０７を出力する。
【００７４】
計数比較部２１４は、位置データ出力信号ＳＰ０７を出力した後、次の再生タイミングデータＳＰ０Ａを読み出す。
【００７５】
位置データ出力信号ＳＰ０７は、位置データ出力部２１３に入力される。
【００７６】
位置データ出力部２１３は、位置データ出力信号ＳＰ０７が入力されると、あらかじめ読み込んだ再生位置データＳＰ０６を再生位置データＳＰ０３として出力する。
【００７７】
位置データ出力部２１３は、再生位置データＳＰ０３を出力した後、次の再生位置データＳＰ０６を読み出す。
【００７８】
以上の動作をフローチャートにしたものが図６である。
【００７９】
ステップＳ２０１では、計数比較部２１４が、記録部１１０に収録されている最初の再生タイミングデータＳＰ０Ａを読み込む。また、位置データ出力部２１３が、記録部１１０に収録されている最初の再生位置データＳＰ０６を読み込む。また、計数比較部２１４において以降の処理で必要となるカウンタのリセットを行い、カウントを開始してカウント値ＣＴＰを算出（加算）する。さらに、ＤＡ変換部２１２において再生信号データＳＰ０５のＤＡ変換を行い、再生ＩＦ信号ＳＰ０２の再生を開始する。この後に、フローはステップＳ２０２へ移行する。
【００８０】
ステップＳ２０２では、計数比較部２１４において、ステップＳ２０１で読み出した再生タイミングデータＳＰ０Ａとカウント値ＣＴＰの比較が行われる。再生タイミングデータＳＰ０Ａとカウント値ＣＴＰが等しい場合は、フローはステップＳ２０３へ移行する。一方、再生タイミングデータＳＰ０Ａとカウント値ＣＴＰが異なる場合は、フローはステップＳ２０５へ移行する。
【００８１】
ステップＳ２０３では、計数比較部２１４が位置データ出力信号ＳＰ０７を位置データ出力部２１３に出力する。位置データ出力信号ＳＰ０７を受け取った位置データ出力部２１３は、読み出した再生位置データＳＰ０６を再生位置データＳＰ０３として出力する。この後に、フローはステップＳ２０４へ移行する。
【００８２】
ステップＳ２０４では、計数比較部２１４が記録部１１０に収録された次の再生タイミングデータＳＰ０Ａを読み込む。また、位置データ出力部２１３が記録部１１０に収録された次の再生位置データＳＰ０６を読み込む。この後に、フローはステップＳ２０２へ戻る。
【００８３】
ステップＳ２０５では、信号の再生動作の終了判断が行われる。信号の再生動作の終了は、別途設けられた再生終了スイッチ等（図示省略）によって選択される。再生動作を終了する場合は、フローはステップＳ２０６へ移行する。一方、再生動作を継続する場合は、フローはステップＳ２０２へ戻る。
【００８４】
ステップＳ２０６で信号の再生動作が終了する。
【００８５】
図７に、再生サンプリングクロック信号ＳＰ０９と、再生サンプリングクロック信号ＳＰ０９を分周して生成した再生カウンタクロック信号と、再生カウンタクロック信号を計数したカウント値ＣＴＰと、再生位置データＳＰ０３のタイミングチャートを示す。
【００８６】
以上が、収録した信号の再生動作である。
【００８７】
以上の動作により、放送信号および位置データをＡＤ変換して収録する際に、位置データが発生したときのみ位置データを記録することにより、収録するデータの容量を縮小することができる。また、位置データの発生タイミングを収録することにより、放送信号と同期して位置データを再生することができる。
【００８８】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００８９】
例えば、収録制御部１１５と再生制御部２１１を一つの制御部にする等、ブロック図は、図２、図５に示すものに限定されるものではない。
【図面の簡単な説明】
【００９０】
【図１】本発明の実施形態における信号収録再生装置の概略のブロック図である。
【図２】本発明の実施形態における収録部のブロック図である。
【図３】本発明の実施形態における収録部のフローチャートである。
【図４】本発明の実施形態における収録部のタイミングチャートである。
【図５】本発明の実施形態における再生部のブロック図である。
【図６】本発明の実施形態における再生部のフローチャートである。
【図７】本発明の実施形態における再生部のタイミングチャートである。
【符号の説明】
【００９１】
１１  位置情報出力部
１２  ＡＤ変換部
２１  ＤＡ変換部
１００  信号収録部
１０１  受信アンテナ
１０２  収録信号処理部
１０３  ＧＰＳ信号受信アンテナ
１０４  ＧＰＳ信号受信部
１０５  収録部
１１０  記録部
１１１  ＡＤ変換部
１１２  位置データ検出部
１１３  計数部
１１４  サンプリングクロック生成部
１１５  収録制御部
２００  信号再生部
２０１  再生部
２０２  再生信号処理部
２０３  位置表示部
２１１  再生制御部
２１２  ＤＡ変換部
２１３  位置データ出力部
２１４  計数比較部
２１５  再生サンプリングクロック生成部
３００  被試験受信機
【図１】
2008244517.tif 000003
【図２】
2008244517.tif 000004
【図３】
2008244517.tif 000005
【図４】
2008244517.tif 000006
【図５】
2008244517.tif 000007
【図６】
2008244517.tif 000008
【図７】
2008244517.tif 000009